【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
複数の個別の密閉された電池セル（１１０）と、
前記電池セル（１１０）の対向する表面の間に熱バリアをつくり出すための、前記電池セルの間の誘電体セパレータ（２１０、６１０）であって、繊維複合体でつくられる誘電体セパレータ（２１０、６１０）と
を備える、充電式電池。
【請求項２】
各電池セル（１１０）は、第１及び第２の電極（１２０、１３０）と、前記電極用のケース（１４０）と、前記ケース（１４０）内部に密閉される電解質とを含む、請求項１に記載の電池。
【請求項３】
前記繊維複合体は、フェノール樹脂マトリックスに繊維を含む、請求項１または２に記載の電池。
【請求項４】
前記繊維複合体は、ガラス繊維フェノールを含む、請求項１または２に記載の電池。
【請求項５】
前記繊維複合体は、繊維玄武岩を含む、請求項１または２に記載の電池。
【請求項６】
前記誘電体セパレータ（２１０、６１０）は、少なくとも前記電池セル（１１０）の対向する表面と同じくらいの大きさである、請求項１から５のいずれか１項に記載の電池。
【請求項７】
各電池セル（１１０）は、ポリイミド薄膜（３１０）で巻かれている、請求項１から６のいずれか１項に記載の電池。
【請求項８】
前記電池セル（１１０）は、角柱状であり、前記電池セル（１１０）は、アレイ状に配置され、前記誘電体セパレータ（２１０、６１０）は、格子（４６０）を形成する、請求項１から７のいずれか１項に記載の電池。
【請求項９】
前記誘電体セパレータ（２１０、６１０）は、連結可能である、請求項８に記載の電池。
【請求項１０】
前記電池セルは、リチウムイオン電池セルであり、前記電池は、旅客ビークル用に構成される、請求項８に記載の電池。
【手続補正２】
【補正対象書類名】明細書
【補正対象項目名】０００７
【補正方法】変更
【補正の内容】
【０００７】
ある実施形態では、各電池セルは、第１及び第２の電極と、電極用のケースと、ケース内部に密閉される電解質とを含む。
【手続補正３】
【補正対象書類名】明細書
【補正対象項目名】０００８
【補正方法】変更
【補正の内容】
【０００８】
ある実施形態では、繊維複合体は、フェノール樹脂マトリックスに繊維を含む。
【手続補正４】
【補正対象書類名】明細書
【補正対象項目名】０００９
【補正方法】変更
【補正の内容】
【０００９】
ある実施形態では、繊維複合体は、ガラス繊維フェノールを含む。
【手続補正５】
【補正対象書類名】明細書
【補正対象項目名】００１０
【補正方法】変更
【補正の内容】
【００１０】
ある実施形態では、繊維複合体は、繊維玄武岩を含む。
【手続補正６】
【補正対象書類名】明細書
【補正対象項目名】００１１
【補正方法】変更
【補正の内容】
【００１１】
ある実施形態では、セパレータは、少なくとも電池セルの対向する表面と同じくらい大きい。
【手続補正７】
【補正対象書類名】明細書
【補正対象項目名】００１２
【補正方法】変更
【補正の内容】
【００１２】
ある実施形態では、各電池セルは、ポリイミド薄膜で巻かれている。
【手続補正８】
【補正対象書類名】明細書
【補正対象項目名】００１３
【補正方法】変更
【補正の内容】
【００１３】
ある実施形態では、電池セルは、角柱状であり、電池セルは、アレイ状に配置され、誘電体セパレータは、格子を形成する。
【手続補正９】
【補正対象書類名】明細書
【補正対象項目名】００１４
【補正方法】変更
【補正の内容】
【００１４】
ある実施形態では、誘電体セパレータは、連結可能である。
【手続補正１０】
【補正対象書類名】明細書
【補正対象項目名】００１５
【補正方法】変更
【補正の内容】
【００１５】
ある実施形態では、電池セルは、リチウムイオン電池セルであり、電池は、旅客ビークル用に構成される。
【手続補正１１】
【補正対象書類名】明細書
【補正対象項目名】００１７
【補正方法】変更
【補正の内容】
【００１７】
ある実施形態では、セパレータは、ガラス繊維フェノールから成る。
【手続補正１２】
【補正対象書類名】明細書
【補正対象項目名】００１８
【補正方法】変更
【補正の内容】
【００１８】
ある実施形態では、誘電体セパレータは、連結可能である。
【手続補正１３】
【補正対象書類名】明細書
【補正対象項目名】００１９
【補正方法】変更
【補正の内容】
【００１９】
ある実施形態では、電池セルは、リチウムイオン電池セルであり、電池は、旅客ビークル用に構成される。
【手続補正１４】
【補正対象書類名】明細書
【補正対象項目名】００２１
【補正方法】変更
【補正の内容】
【００２１】
ある実施形態では、誘電体セパレータは、ガラス繊維フェノールから成る。
【手続補正１５】
【補正対象書類名】明細書
【補正対象項目名】００２２
【補正方法】変更
【補正の内容】
【００２２】
ある実施形態では、誘電体セパレータは、角柱状のリチウムイオン電池セルのアレイ用に構成される。
【手続補正１６】
【補正対象書類名】明細書
【補正対象項目名】００２９
【補正方法】変更
【補正の内容】
【００２９】
ここで、誘電体セパレータ２１０によって分離される二つの電池セル１１０を示す図２を参照する。誘電体セパレータ２１０は、電池セル１１０の対向する表面の間に熱バリアをつくり出す。誘電体セパレータ２１０の主な目的は、熱暴走が電池セル１１０の一つから電池セル１１０の他のセルに伝播するのを防ぐことである。二次的目的は、意図していない電流経路が電池セル１１０の間に生じるのを防ぐことである。誘電体セパレータ２１０は、断熱を提供し、電池セル１１０の間に最小限の間隔を維持する。
【手続補正１７】
【補正対象書類名】明細書
【補正対象項目名】００４５
【補正方法】変更
【補正の内容】
【００４５】
より大きな格子は、複数のスロットを有するセパレータ６１０を利用し得る。図５の格子４６０は、例えば、三つのスロットを有する縦のセパレータと、一つのスロットを有する三つの横のセパレータとによって形成され得る。
また、本願は以下に記載する態様を含む。
（態様１）
複数の個別の密閉された電池セルと、
前記電池セルの対向する表面の間に熱バリアをつくり出すための、前記電池セルの間の誘電体セパレータであって、繊維複合体でつくられる誘電体セパレータと
を備える、充電式電池。
（態様２）
各電池セルは、第１及び第２の電極と、前記電極用のケースと、前記ケース内部に密閉される電解質とを含む、態様１に記載の電池。
（態様３）
前記繊維複合体は、フェノール樹脂マトリックスに繊維を含む、態様１に記載の電池。
（態様４）
前記繊維複合体は、ガラス繊維フェノールを含む、態様１に記載の電池。
（態様５）
前記繊維複合体は、繊維玄武岩を含む、態様１に記載の電池。
（態様６）
前記セパレータは、少なくとも前記電池セルの対向する表面と同じくらい大きい、態様１に記載の電池。
（態様７）
各電池セルは、ポリイミド薄膜で巻かれている、態様１に記載の電池。
（態様８）
前記電池セルは、角柱状であり、前記電池セルは、アレイ状に配置され、前記誘電体セパレータは、格子を形成する、態様１に記載の電池。
（態様９）
前記誘電体セパレータは、連結可能である、態様８に記載の電池。
（態様１０）
前記電池セルは、リチウムイオン電池セルであり、前記電池は、旅客ビークル用に構成される、態様８に記載の電池。
（態様１１）
誘電体セパレータの格子と、
前記格子によって形成される空間に存在する電池セルのアレイとを備える充電式電池であって、
前記誘電体セパレータは、前記電池セルの間での熱暴走の伝播を防止するように構成され、フェノール樹脂マトリックスの繊維から成る、充電式電池。
（態様１２）
前記セパレータは、ガラス繊維フェノールから成る、態様１１に記載の電池。
（態様１３）
前記誘電体セパレータは、連結可能である、態様１１に記載の電池。
（態様１４）
前記電池セルは、リチウムイオン電池セルであり、前記電池は、旅客ビークル用に構成される、態様１１に記載の電池。
（態様１５）
熱暴走が充電式電池セルのアレイに伝播するのを防止するための装置であって、格子を形成するために連結可能である複数の誘電体セパレータを備え、前記格子は、前記電池セルが存在するための空間を形成し、前記誘電体セパレータは、フェノール樹脂マトリックスの繊維から成る、装置。
（態様１６）
前記誘電体セパレータは、ガラス繊維フェノールから成る、態様１５に記載の装置。
（態様１７）
前記誘電体セパレータは、角柱状のリチウムイオン電池セルのアレイ用に構成される、態様１５に記載の装置。